(57)【要約】      （修正有）【課題】愛玩動物の御霊と共に遺骨も万物の自然界へ帰すためには土に帰す事であり、墓地と遺骨を納骨するための場所を同化させることで、愛玩動物も万物の自然界へ帰す事ができ、飼い主のペットロスによる精神的苦痛を緩和させる要素となる納骨用植木鉢を提供する。【解決手段】愛玩動物の遺骨を身近で弔いながら自然界に帰す事が出来る安定した場所を確保する課題を解決するために、家の室内外に設置出来る植木鉢１の中に遺骨を収納する場所を設け、その場所に遺骨または粉骨にした遺骨３を収納器２の中に安置し四周辺を土で覆い、時には遺骨または粉骨にした遺骨と土を混ぜ合わせることによって時間経過と共に土の中にいるバクテリア等の微生物により分解され、自然界の土に帰す事が出来るようにする。【選択図】図２
0003168284.tif 000002
【実用新案登録請求の範囲】
【請求項１】
陶磁器等適宜素材による植木鉢に遺骨または粉骨にした遺骨を安置する場所を確保し、その場所に、遺骨及び粉骨にした遺骨を安置する収納器を設けて、その収納器の中に遺骨を安置し、四周辺を土で覆い、時には遺骨または粉骨にした遺骨と土を混ぜ合わせて収納する事によって、時間経過と共に土の中にいるバクテリア等の微生物により遺骨は分解され自然界の土に帰す事が出来る愛玩動物の納骨用植木鉢。
その本体内に草花・観葉植物等を植え水をあげることは生存中の愛玩動物への毎日の食事と同様であり、その毎日の時間が飼い主と亡くなった愛玩動物との間に必要な時間の経過であり、その時間の経過が飼い主のペットロスによる精神的苦痛から取り除かれるようになった時、愛玩動物の役割が終ると共に愛玩動物の御霊も遺骨も安心して自然界に帰す事が出来る。
【考案の詳細な説明】
【技術分野】
【０００１】  本考案は陶磁器等適宜素材を用いて形成された器の中に愛玩動物の遺骨を安置する場所を設けた愛玩動物の納骨用植木鉢に関する。
【背景技術】
【０００２】  古くは愛玩動物が亡くなった際には飼い主の自宅等の庭に埋葬してきたが、時代と共に衛生管理上不適切という考え方に変わってきた。
そして住宅事情によって自宅等の庭に埋葬する場所も無くなって、愛玩動物の遺骨はペット用納骨堂及び墓地等に埋葬する方法と自宅に遺骨を持ち帰り棚や机の上に安置し弔う方法が取られてきた（特許文献１参照）。
但し、愛玩動物の墓地はおおむね遠く離れた場所にあり、思うままに出かける事が出来なかったりお墓が高価であったりする。
自宅に愛玩動物の遺骨を持ち帰った場合においては仏壇等に、棚や机の上に骨壷の安置場所にと求めるが飼い主以外の人にとっては違和感を覚えさせるものであった。
故に、このような背景は、愛玩動物の遺骨を万物の自然界に帰す事にならず、なお愛玩動物が亡くなった後の飼い主の寂しさからくるペットロスという精神的苦痛を緩和させる要素とはなり得なかった。
【先行技術文献】
【特許文献】
【０００３】
【特許文献１】  実用新案登録第３０６９１８号  公報
【考案の概要】
【考案が解決しようとする課題】
【０００４】  愛玩動物のペット用納骨堂及び墓地等は離れたところにあったり高価であったりする。
また自宅に持ち帰った場合においても愛玩動物の骨壷を安置する場所が仏壇等に、棚や机の上に骨壷の安置場所にと求めるが飼い主以外の人にとっては違和感を覚えさせる不安定なものである。
なお特許文献１に記載されたものは遺骨を納めた骨壷を土の中に納めたものであり、将来に亘って遺骨のままの保管となる。
本来は、愛玩動物の御霊と共に遺骨も万物の自然界へ帰す事で一生を全うしたことになるが、この場合は何時までも遺骨がそのままで万物の自然界に帰す事が出来ないのである。
故に愛玩動物の御霊と共に遺骨も万物の自然界へ帰すためには土に帰す事であり、墓地と遺骨を納骨するための場所を同化させることで、愛玩動物も万物の自然界へ帰す事ができ、飼い主のペットロスによる精神的苦痛を緩和させる要素となるべきものである。
【課題を解決するための手段】
【０００５】  愛玩動物の遺骨を身近で弔いながら自然界に帰す事が出来る安定した場所を確保する課題を解決するために、家の室内外に設置出来る植木鉢の中に遺骨を収納する場所を設け、その場所に遺骨または粉骨にした遺骨を収納器の中に安置し四周辺を土で覆い、時には遺骨または粉骨にした遺骨と土を混ぜ合わせることによって時間経過と共に土の中にいるバクテリア等の微生物により分解され、自然界の土に帰す事が出来るようにすることによって、上記問題点を解決するものである。
【考案の効果】
【０００６】  本考案を家の室内外に設置し鉢の中に草花を植えその草花に水をあげる事は、愛玩動物の思い出と語らいをすることで、時間と共に愛玩動物の死後の飼い主のペットロスによる精神的苦痛を和らげる事が出来る。
なお亡くなったペットに対する執着が強すぎるとか、草花の管理が容易ではないとの指摘もあるが、飼い主と亡くなった愛玩動物との間に必要なものは時間の経過でありその時間の経過と共に飼い主のペットロスによる精神的苦痛から取り除かれるようになった時、愛玩動物の役割が終ると共に愛玩動物の御霊も遺骨も安心して自然界に帰する事が出来る。
【図面の簡単な説明】
【０００７】
【図１】  本考案の愛玩用動物の納骨用植木鉢の実施例を示した側面図である。
【図２】  図１のＡ−Ａ´線に沿った断面図である。
【考案を実施するための形態】
【０００８】  陶磁器等適宜素材による植木鉢に遺骨または粉骨にした遺骨を安置する場所を確保し、遺骨及び粉骨にした遺骨を収納器の中に安置し、四周辺を土で覆い、時には遺骨または粉骨にした遺骨と土を混ぜ合わせる事によって、時間経過と共に土の中にいるバクテリア等の微生物により分解され自然界の土に帰す事が出来る。
添付図面に従って本考案の実施例を説明する。
１は陶磁器等適宜素材によって形成された本考案の愛玩動物の納骨用植木鉢の本体であり、２は遺骨または粉骨にした遺骨を安置する収納器、３は遺骨または粉骨にした遺骨を土で覆ったり、時には土と混ぜ合わせた遺骨または粉骨にした遺骨、４は遺骨または粉骨にした遺骨を安置する収納器の側面に設けられた水抜き用の穴Ａ、（遺骨と土の入れ方、混ぜ方によって穴の大きさは変化する）、但し、収納器内に水が滞留しない構造とすれば穴は無くても良い、５：は遺骨または粉骨にした遺骨を安置した収納器を植木鉢の中で安定させるための高台、但し植木鉢内に水が滞留しない構造とすれば高台は無くても良い、６は水が本体の中から溢れでないようにするための水抜き用穴Ｂ、（土の入れ方によって穴の大きさは変化する、また本体内に水が滞留しない構造とすれば穴Ｂは無くても良い）から構成されているものである。
【符号の説明】
【０００９】１：植木鉢本体
２：遺骨または粉骨にした遺骨を安置する収納器
３：遺骨または粉骨にした遺骨
４：収納器の側面に設けられた水抜き用の穴
５：収納器を植木鉢の中で安定させるための高台
６：本体の水抜き用穴
【図１】
0003168284.tif 000003
【図２】
0003168284.tif 000004
【手続補正書】
【提出日】平成22年12月27日(2010.12.27)
【手続補正１】
【補正対象書類名】実用新案登録請求の範囲
【補正対象項目名】全文
【補正方法】変更
【補正の内容】
【実用新案登録請求の範囲】
【請求項１】
植木鉢に遺骨または粉骨にした遺骨を安置する場所を確保し、その場所に、遺骨または粉骨にした遺骨を安置する収納器を設けて、その収納器の中に遺骨を安置し、四周辺を土で覆い、時には遺骨または粉骨にした遺骨と土を混ぜ合わせて収納することによって時間経過と共に土の中にいるバクテリア等の微生物により遺骨は分解され自然界の土に帰す事が出来る愛玩動物の納骨用植木鉢。